(57)【特許請求の範囲】
【請求項１】
プリント配線板と、
前記プリント配線板の一方の面に実装される半導体チップと、
前記プリント配線板の一方の面に配された第一接続パッドと、
前記半導体チップの一方の面に配された第二接続パッドと、
前記第一接続パッドと前記第二接続パッドとを電気的に接続する配線と、
前記プリント配線板の一方の面と前記半導体チップの他方の面との間で、かつ、該半導体チップの中央領域を含む領域に配され、前記プリント配線板の屈曲した面において、その接線方向と垂直をなす方向に沿って連続的または断続的に延設される、前記半導体チップを前記プリント配線板に実装するための少なくとも一つの接着層と、
を備えたことを特徴とする半導体装置。
【請求項２】
前記接着層は、前記接線方向と垂直をなす方向に沿って連続的に帯状に設けられた接着層であることを特徴とする請求項１に記載の半導体装置。
【請求項３】
前記接着層は、前記接線方向と垂直な方向について連続的に延設される複数本の接着層であることを特徴とする請求項１に記載の半導体装置。
【請求項４】
前記接着層は、断面円形に設けられるとともに、前記接線方向と垂直をなす方向に沿って間隔をあけて断続的に複数設けられた接着層であることを特徴とする請求項１に記載の半導体装置。
【請求項５】
前記接着層は、断面円形に設けられるとともに、前記接線方向と垂直をなす方向に沿って間隔をあけ、且つ、１個毎に前記接戦方向に一定距離で離間するように断続的に複数設けられた接着層であることを特徴とする請求項１に記載の半導体装置。
【請求項６】
前記接着層は、前記接線方向と垂直をなす方向に沿って蛇行して設けられた接着層であることを特徴とする請求項１に記載の半導体装置。
【請求項７】
前記半導体チップと前記接着層の間に配されたポスト層を備え、
前記ポスト層は、熱伝導率が前記接着層の熱伝導率よりも大きい金属で形成されることを特徴とする請求項１〜６のいずれか一項に記載の半導体装置。
【請求項８】
前記接着層は、樹脂からなることを特徴とする請求項１〜７のいずれか一項に記載の半導体装置。
【発明の詳細な説明】
【技術分野】
【０００１】
本発明は、半導体装置に関し、特に、携帯電話等のモバイル機器やいわゆるウェアラブル機器に採用される半導体装置に関する。
【背景技術】
【０００２】
携帯電話等のいわゆるモバイル機器については、急速に軽薄短小化が進んでおり、その内部に搭載されている素子についても、より一層の高機能化が求められている。一方、これまでオフィスや自宅などで固定的に使用されてきた情報機器についても、小型化が可能になるに伴って、身に着けて持ち運び、場所を問わずに利用できる、いわゆるウェアラブル機器としての使われ方が求められてきており、事実、徐々に実現化している。
【０００３】
このような状況下において、これらの機器については、携帯し、持ち歩くという機器の性質上、内部に搭載されるプリント配線板や実装部品に対して、機器のある程度の変形に際しても物理的に破壊されず、特性も変化しないという耐屈曲性が要求されている。
この耐屈曲性を実現するには、２つのアプローチがある。
【０００４】
一つは、プリント配線板および実装部品自体を、変形に対して耐性を有するように保護強化する方法である。
【０００５】
ＱＦＰ（Quad Flat Package）やＳＯＰ（Small Outline Package）と呼ばれる、いわゆるフェースアップ型の実装構造においては、集積回路（以下、ＩＣと称す）チップの直下に接着剤を塗布して固定する構造が提案されている（例えば、特許文献１参照）。また、いわゆるフェースダウン型の実装構造においては、ＩＣチップとプリント配線板の間にばねを設ける構造や、樹脂層を配した構造が提案されている（例えば、特許文献２参照）。
【０００６】
他のアプローチは、プリント配線板自体を折り曲げ可能にしてしまう配線板のフレキシブル化であり、徐々に更なる高屈曲化に対する技術開発も進んでいる。
しかしながら、ＩＣチップ等の実装部品については、主にシリコンや化合物半導体などの硬い材料が使用されているため、フレキシブルプリント配線板のように高屈曲性を有することは困難である。
【０００７】
従って、これまで普及している、ワイヤーボンディング工法によるフェースアップ型の実装構造においては、プリント配線板が屈曲すると、実装部品がプリント配線板から剥離して接続配線や接続端子が破断してしまったり、実装部品が剥離せずにプリント配線板に追従した場合には、実装部品に割れが生じてしまうという課題があった。これはワイヤーボンディングのみならず、ＴＡＢ（Tape Automated Bonding）を採用した場合でも同様である。
【０００８】
つまり、特許文献１に開示されているようにＩＣチップ２の下に厚手の接着剤３を設けた場合でも（図６（ａ））、図６（ｂ）に示すように、接着層３の接着力がＩＣチップ（実装部品）２の剛性よりも弱ければ、ＩＣチップ２のプリント配線板１からの剥離７が生じてしまうし、接着力が剛性よりも強ければ、ＩＣチップ２が剥離せずにプリント配線板１に追従して割れ８が生じてしまう。
【０００９】
また、フェースダウン型の実装構造においては、ばねや樹脂層（特許文献２）を設けた場合も（図７（ａ））、図７（ｂ）に示すように、バンプや導電性接着剤等の接続端子９の接続強度がＩＣチップ（実装部品）２の剛性よりも弱ければ、ＩＣチップ２がプリント配線板１から剥離して接続端子９に破断１０が生じてしまうし、接続強度が剛性よりも強ければ、ＩＣチップ２が剥離せずにプリント配線板１に追従して割れ８が生じてしまう。
【００１０】
ところで、特許文献１に示されているように、ＩＣチップの直下に接着剤を塗布して固定する構造の場合、実装時に接着剤の厚さにむらが生じてＩＣチップが傾いて実装されるおそれがあり、それにより端子の接続高さにばらつきが生じ、接続信頼性が低下するおそれがあるという課題がある。
【先行技術文献】
【特許文献】
【００１１】
【特許文献１】特開平９−１１６３００号公報
【特許文献２】特開平１０−１９９９３６号公報
【発明の概要】
【発明が解決しようとする課題】
【００１２】
本発明は上述のような事情から為されたものであり、本発明の目的は、フレキシブルプリント配線板の屈曲性を十分に発揮しつつ、かつ、実装部品の硬性による接続端子の破断や、実装部品の剥離および割れを回避できる半導体装置を提供することにある。
【課題を解決するための手段】
【００１３】
上記目的を達成するため、請求項１に記載の半導体装置は、プリント配線板と、前記プリント配線板の一方の面に実装される半導体チップと、前記プリント配線板の一方の面に配された第一接続パッドと、前記半導体チップの一方の面に配された第二接続パッドと、
前記第一接続パッドと前記第二接続パッドとを電気的に接続する配線と、前記プリント配線板の一方の面と前記半導体チップの他方の面との間で、かつ、該半導体チップの中央領域を含む領域に配され、前記プリント配線板の屈曲した面において、その接線方向と垂直をなす方向に沿って連続的または断続的に延設される、前記半導体チップを前記プリント配線板に実装するための少なくとも一つの接着層と、を備えたことを要旨とする。
請求項２に記載の半導体装置は、請求項１において、前記接着層は、前記接線方向と垂直をなす方向に沿って連続的に帯状に設けられた接着層であることを要旨とする。
請求項３に記載の半導体装置は、請求項１において、前記接着層は、前記接線方向と垂直な方向について連続的に延設される複数本の接着層であることを要旨とする。
請求項４に記載の半導体装置は、請求項１において、前記接着層は、断面円形に設けられるとともに、前記接線方向と垂直をなす方向に沿って間隔をあけて断続的に複数設けられた接着層であることを要旨とする。
請求項５に記載の半導体装置は、請求項１において、前記接着層は、断面円形に設けられるとともに、前記接線方向と垂直をなす方向に沿って間隔をあけ、且つ、１個毎に前記接戦方向に一定距離で離間するように断続的に複数設けられた接着層であることを要旨とする。
請求項６に記載の半導体装置は、請求項１において、前記接着層は、前記接線方向と垂直をなす方向に沿って蛇行して設けられた接着層であることを要旨とする。
請求項７に記載の半導体装置は、請求項１〜６のいずれか一項において、前記半導体チップと前記接着層の間に配されたポスト層を備え、前記ポスト層は、熱伝導率が前記接着層の熱伝導率よりも大きい金属で形成されることを要旨とする。
請求項８に記載の半導体装置は、請求項１〜７のいずれか一項において、前記接着層は、樹脂からなることを要旨とする。
【発明の効果】
【００１４】
請求項１に記載の半導体装置によれば、プリント配線板が屈曲しても半導体チップはそれに追従することがないので、十分な屈曲性を有しつつ、実装部品の剥離や割れを防止することができ、特に、半導体チップとプリント配線板の間の接続強度を最大にしつつ、かかる効果を発揮できる。
請求項２に記載の半導体装置によれば、請求項１に記載の半導体装置の効果に加えて、プリント配線板の屈曲による応力を有効に緩和できる。
請求項３に記載の半導体装置によれば、請求項１に記載の半導体装置の効果に加えて、プリント配線板と半導体チップの距離が長くなるので、プリント配線板が半導体チップ側に屈曲しても半導体チップに衝突することがない。つまり、プリント配線板の上側・下側双方への十分な屈曲が可能となる。
請求項４に記載の半導体装置によれば、請求項３に記載の半導体装置の効果に加えて、半導体チップで発生した熱をプリント配線板側に効率よく逃がすという良好な放熱性の効果が得られる。
請求項５に記載の半導体装置によれば、請求項１に記載の半導体装置の効果に加えて、プリント配線板の屈曲による応力を調整できると共に、半導体チップの傾き防止の効果を更に向上させることができる。
【図面の簡単な説明】
【００１５】
【図１】本発明に係る半導体装置の第一実施形態の構成を示す図。
【図２】第一実施形態において、フレキシブルプリント配線板が上方（ＩＣチップ側）に屈曲した場合を示す図。
【図３】本発明に係る半導体装置の第二実施形態の構成を示す図。
【図４】第二実施形態の他の変形例を示す図。
【図５】本発明に係る半導体装置の第三実施形態の各種構成を示す図。
【図６】従来技術の一例を説明するための図。
【図７】従来技術の他の一例を説明するための図。
【発明を実施するための形態】
【００１６】
以下、図面を参照して、本発明に係る半導体装置の実施形態について詳細に説明する。
【００１７】
図１は、本発明の半導体装置の一実施形態の構成を示す図であり、同図（ａ）は、側面図であり、同図（ｂ）は、平面図であり、同図（ｃ）は、フレキシブルプリント配線板が屈曲した場合を示す図である。なお、本明細書では、「フレキシブルプリント配線板」を略して「プリント配線板」と呼ぶ場合もある。
【００１８】
図１に示す半導体装置においては、ＩＣチップ２が、接着層３によりフレキシブルプリント配線板１に実装されており、フレキシブルプリント配線板１とＩＣチップ２とは、接続パッド５を介して接続配線４を通じて相互に電気的に接続されている。
【００１９】
ここで、この実施形態においては、図１（ｂ）で明確に分かるように、接着層３は、ＩＣチップ２の中央領域にのみ設けられている。言い換えれば、ＩＣチップ２は、その中央領域のみで接着層３を介してフレキシブルプリント配線板１に固定されている。なお、中央領域とは、ＩＣチップ２が矩形の場合、その幅が、ＩＣチップ２の縦横方向の双方の各幅の、例えば２分の１以下である中央の領域である。
【００２０】
かかる構成により、図１（ｃ）に示すように、フレキシブルプリント配線板１が屈曲してもＩＣチップ２はそれに追従することがないので、十分な屈曲性を有しつつ、実装部品の剥離や割れを防止することができる。
つまり、上記の効果を達成するため、本発明の半導体装置を構成する接着層３は、プリント配線板１の一方の面［図１（ｃ）において上面］と半導体チップ（ＩＣチップ）２の他方の面［図１（ｃ）において下面］との間で、かつ、半導体チップ２の中央領域に配されている。また、接着層３は、プリント配線板１の屈曲した面［図１（ｃ）において上面］において、その接線方向と垂直をなす方向［図１（ｃ）において紙面に垂直な方向］に延設される。図１（ｃ）では、球状をなす一個の接着層３が設けられた場合を表しているが、接線方向と垂直をなす方向に、複数個の接着層３を設ける構成としても、上述した本発明の効果は得られる。
【００２１】
なお、接着層３としては、通常のＩＣチップの実装工程で用いられる樹脂、例えば、ポリイミド、フェノール、シリコン、エポキシ、およびそれらの混合樹脂を用いることができる。接着層３の形成には、液状、フィルム状、ペースト状のいずれの性状のものでも用いることができる。
【００２２】
また、接着層３の厚さとしては、５μｍ〜１００μｍの範囲にあることが望ましい。接着層３のポストの形成方法としては、スピンコート法、露光現像法、スクリーン印刷法、ディスペンス法、プラズマエッチング法、ウェットエッチング法、紫外レーザーによる加工法、ラミネート法のうちのいずれの方法でも採用できる。
【００２３】
また、ＩＣチップ２とフレキシブルプリント配線板１とを接続する接続配線４としては、金（Ａｕ）ワイヤー、銅（Ｃｕ）ワイヤー、リードフレームを用いることができる。
【００２４】
図２は、第一実施形態で、フレキシブルプリント配線板１が上方（ＩＣチップ２側）に屈曲した場合を示しているが、この場合には、同図に示す通り、フレキシブルプリント配線板１がＩＣチップ２と衝突する場合がある。かかる場合を考慮したのが次の第二実施形態である。
【００２５】
図３は、本発明の半導体装置の第二実施形態の構成を示す図である。
第一実施形態の半導体装置と異なる点は、フレキシブルプリント配線板１と接着層３との間にポスト層６が設けられている点である。これ以外は第一実施形態と同様である。
ポスト層６を設けることにより、フレキシブルプリント配線板１とＩＣチップ２の距離が長くなるので、図３（ａ）に示すように、フレキシブルプリント配線板１がＩＣチップ２側に屈曲してもＩＣチップ２に衝突することがない。すなわち、フレキシブルプリント配線板１の上側・下側双方への屈曲を可能としている。
【００２６】
なお、ポスト層６としては、通常のＩＣチップの実装工程で用いられる樹脂、例えば、ポリイミド、フェノール、シリコン、エポキシ、およびそれらの混合樹脂を用いることができる。ポスト層６の形成には、液状、フィルム状、ペースト状のいずれの性状のものでも用いることができる。
【００２７】
また、ポスト層６の厚さとしては、５０μｍ〜２００μｍの範囲にあることが望ましい。その樹脂ポストの形成方法としては、スピンコート法、露光現像法、スクリーン印刷法、ディスペンス法、プラズマエッチング法、ウェットエッチング法、紫外レーザーによる加工法、ラミネート法のうちのいずれの方法でも採用できる。
【００２８】
図３（ｂ）および（ｃ）は、第二実施形態の変形例を示す図である。図３（ｂ）は、ポスト層６をスクリーン印刷法で形成した場合を示しており、この場合は、ポスト層６はテーパ形状となる。一方、図３（ｃ→ｄ）は、ポスト層６をウェットエッチング法で形成した場合を示しており、この場合は、ポスト層６はくびれ形状となる。しかし、いずれの場合も図３（ａ）に示した基本形状のものと同様の効果が得られる。
【００２９】
なお、図３（ａ）乃至（ｃ）に示した形態においては、接着層３は、ポスト層６の片面、具体的にはＩＣチップ２側、にしか設けていないが、ポスト層６の両面に設けてもよい。言い換えれば、ＩＣチップ２、接着層３、ポスト層６、接着層３、フレキシブルプリント配線板１の順に構成してもよい。
【００３０】
図４は、図３（ａ）に示した第二実施形態の他の変形例を示す図である。図３（ａ）に示した第二実施形態の基本形と異なる点は、ポスト層６として金属製のものを採用している点である。なお、この場合、ポスト層６をＩＣチップ２側に設け、接着層３をフレキシブルプリント配線板１側に設けるのが好適である。これにより、図３（ａ）に示した形態による作用効果に加えて、同図に矢印で示すように、ＩＣチップ２で発生した熱をフレキシブルプリント配線板１側に効率よく逃がすという良好な放熱性の効果が得られる。
【００３１】
金属製のポスト層６としては、銅（Ｃｕ）、銀（Ａｇ）、金（Ａｕ）、タングステン（Ｗ）、クロム（Ｃｒ）、ニッケル（Ｎｉ）、アルミニウム（Ａｌ）、およびそれらの合金を採用できるが、放熱性の観点からは、熱伝導率の高い銅および銀が好ましい。金属製のポスト層６の形成には、電解めっき膜、スパッタ膜、圧延箔のいずれの性状のものでも用いることができる。
【００３２】
また、ポスト層６の厚さとしては、５０μｍ〜２００μｍの範囲にあることが望ましい。金属製のポスト層６の形成方法としては、スパッタ法、電解めっき法、無電解めっき法、ラミネート法、ウェットエッチング法、プラズマエッチング法のうちのいずれの方法でも採用できる。
なお、この変形例においても、接着層３は、ポスト層６の両面に設けてもよい。
【００３３】
図５は、本発明の半導体装置の第三実施形態の各種構成を示す図である。
ＩＣチップ２の上面を二次元平面に便宜上対応させた上で、同図に示すように、フレキシブルプリント配線板１の屈曲の方向が、当該二次元平面について一方向のみの場合は、第一および第二実施形態のように、接着層３をＩＣチップ２の中央領域のみに設ける必要はない。すなわち、屈曲したフレキシブルプリント配線板１の屈曲面において、その接線方向に垂直な軸（これを便宜上「屈曲軸」と称する）と同方向に、つまり平行に、長手方向を有するような縦長状の接着層３とすることができる。これにより、ＩＣチップ２とフレキシブルプリント配線板１の間の接続強度を最大にしつつ、フレキシブルプリント配線板１の十分な屈曲性を実現できる。また、ＩＣチップ２の実装時に位置ずれが発生した際に、ＩＣチップ２が傾くことを防止することができる。
【００３４】
具体的には、図５（ａ）は、第三実施形態の基本形であり、屈曲軸に平行な方向の全面に渡って接着層３を設けた場合であり、同図（ｂ）は、屈曲軸に平行な方向に、断面円形の複数の接着層３を等間隔に設けた場合である。
【００３５】
また、屈曲軸に垂直な方向に有意な幅（但し、この場合も、屈曲軸に垂直な方向のＩＣチップ２の幅の例えば２分の１以下）を設けることもできる。図５（ｃ）は、同図（ａ）の接着層３に対してその両側に更に付属の接着層３を設けた場合である。また、同図（ｄ）は、同図（ｂ）の複数の接着層３を交互に点在させた場合である。更に、同図（ｅ）は、屈曲軸に垂直な方向に蛇行した接着層３の場合である。
【００３６】
図５（ｃ）乃至（ｅ）に示した場合では、同図（ａ）および（ｂ）の場合の効果に加えて、フレキシブルプリント配線板１の屈曲による応力を調整できると共に、ＩＣチップ２の傾き防止の効果を更に向上させることができる。
【００３７】
なお、上述の実施形態は本発明の単なる例であり、当業者であれば、本発明の趣旨の範囲内で各種の態様が考えられる。例えば、接続配線４はワイヤーボンディングによるものとして示されているが、ＴＡＢを採用した場合でも同様である。また、接着層をＩＣチップの中央領域に設ける場合、その断面は円形とは限らず、例えば方形であってもよい。
【産業上の利用可能性】
【００３８】
本発明は、携帯電話等の小型電子機器に組み込む電子部品を実装する回路基板に適用することができる。
【符号の説明】
【００３９】
１  フレキシブルプリント配線板（プリント配線板）、２  ＩＣチップ、３  接着層、４  接続配線、５  接続パッド、６  ポスト層、７  剥離、８  割れ、９  接続端子、１０  破断。
【図１】
0005629524.tif 000002
【図２】
0005629524.tif 000003
【図３】
0005629524.tif 000004
【図４】
0005629524.tif 000005
【図５】
0005629524.tif 000006
【図６】
0005629524.tif 000007
【図７】
0005629524.tif 000008